(57)【特許請求の範囲】
【請求項１】
電子カメラであって、
環境光を検出する検出手段と、
前記検出手段による検出結果を用いて、前記環境光の輝度が所定の基準より低いか否かを判定する判定手段と、
電子的に撮影画像を表示可能な第１表示手段と、
前記第１表示手段と異なる表示態様で、電子的に前記撮影画像を表示可能な第２表示手段と、
前記第１表示手段および前記第２表示手段のそれぞれにおける表示画像の前記撮影画像に対する各ゲインを調整することにより前記第１表示手段および前記第２表示手段のそれぞれにおける画像補正を行う画像補正手段と、
を備え、
前記画像補正手段は、前記判定手段により前記環境光の輝度が前記所定の基準より低いと判定される場合には、
前記第１表示手段には第１の値のゲインで前記撮影画像を表示し、
前記第２表示手段には前記第１の値と異なる第２の値のゲインで前記撮影画像を表示することを特徴とする電子カメラ。
【請求項２】
請求項１に記載の電子カメラにおいて、
前記第１表示手段は、表示部に表示される画像を接眼レンズを介して視認可能にする電子ビューファインダであり、
前記第２表示手段は、液晶ディスプレイであり、
前記第１の値は、前記第２の値よりも大きいことを特徴とする電子カメラ。
【請求項３】
電子カメラであって、
環境光を検出する検出手段と、
前記検出手段による検出結果を用いて、前記環境光の輝度が所定の基準より高いか否かを判定する判定手段と、
電子的に撮影画像を表示可能な第１表示手段と、
前記第１表示手段と異なる表示態様で、電子的に前記撮影画像を表示可能な第２表示手段と、
前記第１表示手段および前記第２表示手段のそれぞれにおける表示画像の前記撮影画像に対する各ゲインを調整することにより前記第１表示手段および前記第２表示手段のそれぞれにおける画像補正を行う画像補正手段と、
を備え、
前記画像補正手段は、前記判定手段により前記環境光の輝度が前記所定の基準より高いと判定される場合には、
前記第１表示手段には第１の値のゲインで前記撮影画像を表示し、
前記第２表示手段には前記第１の値と異なる第２の値のゲインで前記撮影画像を表示することを特徴とする電子カメラ。
【請求項４】
請求項３に記載の電子カメラにおいて、
前記第１表示手段は、表示部に表示される画像を接眼レンズを介して視認可能にする電子ビューファインダであり、
前記第２表示手段は、液晶ディスプレイであり、
前記第１の値は、第２の値よりも小さいことを特徴とする電子カメラ。
【発明の詳細な説明】
【０００１】
【発明の属する技術分野】
本発明は、電子カメラにおいて、電子ビューファインダ（ＥＶＦ）や液晶ディスプレイ（ＬＣＤ）などの表示手段における表示形態を使用状態に応じて最適化する技術に関する。
【０００２】
【従来の技術】
デジタルカメラ（電子カメラ）においては、電子ビューファインダ（ＥＶＦ）を有するものが存在する。この電子ビューファインダは、撮影画像を電子的に表示することが可能であり、光学カメラにおける光学ファインダに相当する機能を有するものである。この電子ビューファインダにおいて、被写体に関する時間的な連続画像を表示するライブビュー表示を行うことにより、被写体に関する撮影画像（想定画像）を確認しつつ撮像を行うことが可能である。
【０００３】
また、このようなデジタルカメラは、上記の電子ビューファインダの他に、比較的大型の液晶ディスプレイ（ＬＣＤ）をその背面等に設けていることが多い。そして、このような液晶ディスプレイにおいても同様のライブビュー表示を行うことにより、被写体に関する撮影画像を確認しつつ撮像を行うことが可能である。
【０００４】
【発明が解決しようとする課題】
しかしながら、上記の電子ビューファインダにおける表示においては、環境光の影響が考慮されておらず、環境光に応じた電子ビューファインダの表示特性は最適化されていないという問題を有している。
【０００５】
また、２種類の表示手段（電子ビューファインダおよび液晶ディスプレイなど）がある場合にも、単に両表示手段を手動操作で切り換えて表示を行うのみであり、環境光などを含めた使用状態に応じた最適化がなされていないという問題を有している。
【０００６】
そこで、本発明は前記問題点に鑑み、環境光に応じた電子ビューファインダの表示特性を最適化することが可能な電子カメラを提供することを第１の目的とする。
【０００７】
また、２種類の表示手段を有する電子カメラにおいて、これらの２種類の表示手段の表示形態を最適化することが可能な電子カメラを提供することを第２の目的とする。
【０００８】
【課題を解決するための手段】
上記目的を達成するため、請求項１の発明は、電子カメラであって、環境光を検出する検出手段と、前記検出手段による検出結果を用いて、前記環境光の輝度が所定の基準より低いか否かを判定する判定手段と、電子的に撮影画像を表示可能な第１表示手段と、前記第１表示手段と異なる表示態様で、電子的に前記撮影画像を表示可能な第２表示手段と、前記第１表示手段および前記第２表示手段のそれぞれにおける表示画像の前記撮影画像に対する各ゲインを調整することにより前記第１表示手段および前記第２表示手段のそれぞれにおける画像補正を行う画像補正手段と、を備え、前記画像補正手段は、前記判定手段により前記環境光の輝度が前記所定の基準より低いと判定される場合には、前記第１表示手段には第１の値のゲインで前記撮影画像を表示し、前記第２表示手段には前記第１の値と異なる第２の値のゲインで前記撮影画像を表示することを特徴とする。
【０００９】
請求項２の発明は、請求項１の発明に係る電子カメラにおいて、前記第１表示手段は、表示部に表示される画像を接眼レンズを介して視認可能にする電子ビューファインダであり、前記第２表示手段は、液晶ディスプレイであり、前記第１の値は、前記第２の値よりも大きいことを特徴とする。
【００１０】
請求項３の発明は、電子カメラであって、環境光を検出する検出手段と、前記検出手段による検出結果を用いて、前記環境光の輝度が所定の基準より高いか否かを判定する判定手段と、電子的に撮影画像を表示可能な第１表示手段と、前記第１表示手段と異なる表示態様で、電子的に前記撮影画像を表示可能な第２表示手段と、前記第１表示手段および前記第２表示手段のそれぞれにおける表示画像の前記撮影画像に対する各ゲインを調整することにより前記第１表示手段および前記第２表示手段のそれぞれにおける画像補正を行う画像補正手段と、を備え、前記画像補正手段は、前記判定手段により前記環境光の輝度が前記所定の基準より高いと判定される場合には、前記第１表示手段には第１の値のゲインで前記撮影画像を表示し、前記第２表示手段には前記第１の値と異なる第２の値のゲインで前記撮影画像を表示することを特徴とする。
【００１１】
請求項４の発明は、請求項３の発明に係る電子カメラにおいて、前記第１表示手段は、表示部に表示される画像を接眼レンズを介して視認可能にする電子ビューファインダであり、前記第２表示手段は、液晶ディスプレイであり、前記第１の値は、第２の値よりも小さいことを特徴とする。
【００２６】
【発明の実施の形態】
＜Ａ．第１実施形態＞
＜Ａ１．デジタルカメラの要部構成＞
図１〜図３は、本発明の第１実施形態に係るデジタルカメラ１の要部構成を示す図であり、図１は平面図、図２は図１のＩＩ−ＩＩ位置から見た断面図、図３は背面図に相当する。これらの図は必ずしも三角図法に則っているものではなく、デジタルカメラ１の要部構成を概念的に例示することを主眼としている。
【００２７】
これらの図に示すように、デジタルカメラ１は、略直方体状の外形を有するカメラ本体部２を備えている。また、このデジタルカメラ１は、被写体の撮像等を行う撮像部３を備えており、この撮像部３は、カメラ本体部２に対して前方に（図２の左側に）突出した部分とカメラ本体部２の内部とにおいて設けられている。
【００２８】
撮像部３は、撮影レンズであるマクロ機能付きレンズ群３０の後方位置の適所にＣＣＤカラーエリアセンサ３０３を有する撮像回路３０２（図４参照）が設けられている。また、このレンズ群３０は、ズームレンズ３００と合焦レンズ３０１とを備えている。
【００２９】
一方、カメラ本体部２の内部には、ズームレンズ３００のズーム比の変更と収容位置、撮影位置間のレンズ移動を行うためのズームモータＭ１、および合焦レンズ３０１を駆動して合焦を行うためのモータＭ２とが設けられている。
【００３０】
カメラ本体部２の前面には、グリップ部Ｇが設けられ、カメラ本体部２上端部の適所にポップアップ形式の内蔵フラッシュ５が設けられている。また、カメラ本体部２の上面にはシャッタボタン９が設けられている。
【００３１】
一方、図３に示すように、カメラ本体部２の背面には、略中央に撮影画像のライブビュー表示及び記録画像の再生表示等を行なうための液晶ディスプレイ（（以下、「ＬＣＤ」とも称する））表示部１０と電子ビューファインダ（以下、「ＥＶＦ」とも称する）２０とが設けられている。このＬＣＤ１０およびＥＶＦ２０では、カラーで画像表示が行われる。
【００３２】
また、ＥＶＦ２０は、比較的小型のＬＣＤ２２などの表示部に表示される画像を接眼レンズ２１を介して視認可能にするものである。なお、このＥＶＦ２０においては、観察者の目とＥＶＦ２０の接眼レンズ２１（図２）との間にアイピースキャップ２３（図２において破線で示す）のような遮光部材を設けることなどにより、遮光性を高めることなどが行われる。
【００３３】
カメラ本体部２の背面には、「撮影モード」と「再生モード」とを切換設定する撮影／再生モード設定スイッチ１４が設けられている。撮影モードは、写真撮影を行なうモードであり、再生モードは、メモリカード８に記録された撮影画像をＬＣＤ１０に再生表示するモードである。
【００３４】
デジタルカメラ１の背面右方には、４連スイッチ３５が設けられており、ボタンＬ、Ｒを押すことにより、ズームモータＭ１が駆動しズーミングを行い、その他、ボタンＵ、Ｄ、Ｌ、Ｒで各種操作を行う。
【００３５】
また、カメラ本体部２の背面には、ＬＣＤボタン３１、確定ボタン３２、取消ボタン３３、およびメニューボタン３４が設けられている。このＬＣＤボタン３１は、ＬＣＤ表示またはＥＶＦ表示をオンオフさせるためのボタンであり、ＬＣＤボタン３１を押す毎にＬＣＤ表示またはＥＶＦ表示のオンオフ状態が切り替わる（後に詳述）。
【００３６】
図１に示すように、デジタルカメラ１はメモリカード８が装着されるようになっている。また、デジタルカメラ１は、４本の単三形乾電池Ｅ１〜Ｅ４を直列接続してなる電源電池Ｅを駆動源としている。
【００３７】
＜Ａ２．デジタルカメラの機能ブロック＞
図４は、デジタルカメラ１の機能ブロック図である。同図において、ＣＣＤ３０３は、レンズ群３０により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００３８】
撮像部３における露出制御は、絞り制御ドライバ３０６によるレンズ群３０の絞りと、ＣＣＤ３０３の露光量、すなわち、シャッタスピードに相当するＣＣＤ３０３の電荷蓄積時間を調節して行なわれる。被写体輝度が低輝度時に適切なシャッタスピードが設定できない場合は、ＣＣＤ３０３から出力される画像信号のレベル調整を行なうことにより露光不足による不適正露出が補正される。すなわち、低輝度時は、シャッタスピードとゲイン調整とを組み合わせて露出制御が行なわれる。画像信号のレベル調整は、信号処理回路３１３内のＡＧＣ回路のゲイン調整において行なわれる。
【００３９】
タイミングジェネレータ３１４は、タイミング制御回路２０２から送信される基準クロック基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００４０】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
【００４１】
調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から発光停止信号が出力され、この発光停止信号に応答して内蔵フラッシュ５の発光を強制的に停止し、これにより内蔵フラッシュ５の発光量が所定の発光量に制御される。
【００４２】
Ａ／Ｄ変換器２０５は、画像信号の各画素信号を１２ビットのデジタル信号に変換するものである。Ａ／Ｄ変換器２０５は、タイミング発生回路から入力されるＡ／Ｄ変換用のクロックに基づいて各画素信号（アナログ信号）を１２ビットのデジタル信号に変換する。
【００４３】
タイミングジェネレータ３１４、Ａ／Ｄ変換器２０５に対するクロックを生成するタイミング制御回路２０２が設けられている。タイミング制御回路２０２は、全体制御部２１１内の基準クロックにより制御される。
【００４４】
黒レベル補正回路２０６は、Ａ／Ｄ変換された画素信号の黒レベルを基準の黒レベルに補正するものである。また、ＷＢ（ホワイトバランス）回路２０７は、Ｒ，Ｇ，Ｂの各色成分の画素データのレベル変換を行なうものである。ＷＢ回路２０７は、全体制御部２１１から入力されるレベル変換テーブルを用いてＲ，Ｇ，Ｂの各色成分の画素データのレベルを変換する。なお、レベル変換テーブルの各色成分のパラメータ（特性の傾き）は全体制御部２１１により、オートまたはマニュアルで、撮影画像毎に設定される。
【００４５】
γ補正回路２０８は、画素データの階調を補正するものである。画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３画素数に対応する１６００×１２００画素分の画素データの記憶容量を有し、各画素データが対応する画素位置に記憶されるようになっている。
【００４６】
ＬＣＤＶＲＡＭ２１０は、ＬＣＤ１０に表示される画像データのバッファメモリである。ＬＣＤＶＲＡＭ２１０は、ＬＣＤ１０の画素数４００×３００に対応した画像データの記憶容量を有している。
【００４７】
ＥＶＦＶＲＡＭ２２０は、ＥＶＦ２０に表示される画像データのバッファメモリである。ＥＶＦＶＲＡＭ２２０は、ＥＶＦ２０の画素数６４０×４８０に対応した画像データの記憶容量を有している。
【００４８】
また、撮影待機状態においては、撮像部３により１／３０（秒）毎に撮像された画像の各画素データがＡ／Ｄ変換器２０５〜γ補正回路２０８により所定の信号処理を施された後、画像メモリ２０９に一時記憶されるとともに、全体制御部２１１を介してＬＣＤＶＲＡＭ２１０、ＥＶＦＶＲＡＭ２２０に転送され、ＬＣＤ１０やＥＶＦ２０に表示される（ライブビュー表示）。
【００４９】
これによって、ユーザは被写体像を視認することができる。また、再生モードにおいては、メモリカード８から読み出された画像が全体制御部２１１で所定の信号処理が施された後、ＶＲＡＭ２１０に転送され、ＬＣＤ１０に再生表示される。ＥＶＦ２０でも同様の表示が行われる。
【００５０】
カードＩ／Ｆ２１２は、メモリカード８への画像データの書込み及び画像データの読出しを行なうためのインターフィースである。また、通信用Ｉ／Ｆ２２４は、パーソナルコンピュータ２２５を通信可能に外部接続するための、例えばＵＳＢ規格に準拠したインターフェースである。このカードＩ／Ｆ２１２、通信用Ｉ／Ｆ２２４を介して、メモリカード８やＣＤ−ＲＯＭ２２６などの記録媒体に記録している制御プログラムを、全体制御部２１１のＲＯＭ内に取り込むことができる。
【００５１】
ＲＴＣ２１９は、撮影日時を管理するするための時計回路である。図示しない別の電源で駆動される。
【００５２】
操作部２５０は、上述したシャッタボタン９、ＬＣＤボタン３１、確定ボタン３２などの各種スイッチ、ボタンなどで構成されている。
【００５３】
シャッタボタン９は、銀塩カメラで採用されているような半押し状態（Ｓ１）と押し込んだ状態（Ｓ２）とが検出可能な２段階スイッチになっている。待機状態でシャッタボタン９をＳ１状態にすると、ＡＦのためのレンズ駆動を開始し、全体制御部２１１による画像メモリ２０９内における画像のコントラストを評価しながら、コントラストがもっとも高くなるようにモータＭ１、Ｍ２により、レンズを駆動し停止させる。Ｓ１状態時の画像メモリ内の画像データのレベルを判定することで、シャッタースピード（ＳＳ）と絞り値を決定する。さらにホワイトバランスの補正値を決定する。
【００５４】
全体制御部２１１は、マイクロコンピュータからなり、上述したカメラの各部材の駆動を有機的に制御してデジタルカメラ１の撮影動作を統括制御するものである。
【００５５】
図５は、全体制御部２１１内のＣＰＵやメモリの全体によって実現される内部機能を示すブロック図である。この全体制御部２１１は、露出制御値（シャッタスピード（ＳＳ）と絞り値）を設定するための輝度判定部２１１ａと露光量設定部２１１ｂとを備えている。
【００５６】
さらに、全体制御部２１１は、上記撮影画像の記録処理を行なうために、フィルタリング処理を行なうフィルタ部２１１ｆと、サムネイル画像及び圧縮画像を生成する記録画像生成部２１１ｇとを備え、メモリカード８に記録された画像をＬＣＤ１０やＥＶＦ２０に再生するために、再生画像を生成する再生画像生成部２１１ｈを備えている。
【００５７】
上記のフィルタ部２１１ｆは、デジタルフィルタにより記録すべき画像の高周波成分を補正して輪郭に関する画質の補正を行なうものである。
【００５８】
記録画像生成部２１１ｇは、画像メモリ２０９から画素データを読み出してメモリカード８に記録すべきサムネイル画像と圧縮画像とを生成する。記録画像生成部２１１ｇは、画像メモリ２０９から横方向と縦方向の両方向でそれぞれ８画素毎に画素データを読み出し、順次、メモリカード８に転送することで、サムネイル画像を生成しつつメモリカード８に記録する。
【００５９】
また、記録画像生成部２１１ｇは、画像メモリ２０９から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の本画像エリアに記録する。
【００６０】
全体制御部２１１は、撮影モードにおいて、シャッタボタン９により撮影が指示されると、撮影指示後に画像メモリ２０９に取り込まれた画像のサムネイル画像と設定された圧縮率によりＪＰＥＧ方式により圧縮された圧縮画像とを生成し、撮影画像に関するタグ情報（コマ番号、露出値、シャッタスピード、圧縮率、撮影日、撮影時のフラッシュのオンオフのデータ、シーン情報、画像の判定結果等）等の情報とともに両画像をメモリカード８に記憶する。
【００６１】
デジタルカメラ１によって記録された画像の各コマはタグの部分とＪＰＥＧ形式で圧縮された高解像度の画像データ（（１６００×１２００）画素）とサムネイル表示用の画像データ（（８０×６０）画素）が記録されている。
【００６２】
撮影／再生モード設定スイッチ１４を再生モードに設定したときには、メモリカード８内のコマ番号の最も大きな画像データが読み出され、再生画像生成部２１１ｈにてデータ伸張され、これがＶＲＡＭ２１０、２２０に転送されることにより、ＬＣＤ１０やＥＶＦ２０には、コマ番号の最も大きな画像すなわち直近に撮影された画像が表示される。ボタンＵを操作することにより、コマ番号の大きな画像が表示され、ボタンＤを押すことによりコマ番号の小さな画像が表示される。
【００６３】
メモリカード８は、図６に示すように、デジタルカメラ１によって記憶された画像を、圧縮率１／２０で２３０コマの画像分記憶可能であり、各コマは、タグ情報の部分と、ＪＰＥＧ形式で圧縮された高解像度の画像信号（６４０×４８０画素）とサムネイル表示用の画像信号（８０×６０画素）が記録されている。各コマ単位で、例えばＥＸＩＦ形式の画像ファイルとして扱うことが可能である。
【００６４】
再び図５を参照する。図５に示されるように、全体制御部２１１は、環境光検出部２１１ｃ、表示形態制御部２１１ｄをさらに有している。後述するように、環境光検出部２１１ｃは、環境光の各種特性（輝度および色合い）を、自動露光調節動作（ＡＥ動作）時の値ＢＶ（ブライトネスバリュー）や、ホワイトバランス動作時の各種ゲインの値を用いて検出する動作を行う。また、表示形態制御部２１１ｄは画像補正部２１１ｅを有しており、この画像補正部２１１ｅは、環境光検出部２１１ｃによって検出された環境光の特性に応じてＬＣＤ１０およびＥＶＦ２０の表示特性を変更することにより画像を補正する。この画像補正部２１１ｅにより補正された画像が、撮影時のＬＣＤ１０およびＥＶＦ２０におけるライブビュー画像として表示される。なお、表示形態制御部２１１ｄは、環境輝度判定部２１１ｉおよび勧告表示制御部２１１ｊをさらに有しているが、これらについては後述する。
【００６５】
＜Ａ３．デジタルカメラにおける動作＞
つぎに、上記のデジタルカメラ１における動作について説明する。以下では、電子ビューファインダ（ＥＶＦ）２０の表示特性を、検出された環境光に応じて最適化する動作について説明する。ＥＶＦ２０の表示特性には、輝度、コントラスト、および色合いに関するものが存在する。ここでは、これらの表示特性を、環境光の特性（輝度、色合い等）に応じて変更することにより、ＥＶＦ２０の表示特性の最適化を図る。以下では、このような最適化動作について、大きく４つの場合に分けて説明する。
【００６６】
＜その１＞
まず、環境光の輝度に応じて、ＥＶＦ２０の輝度およびコントラストを変化させる場合について説明する。
【００６７】
ここにおいて、環境光の輝度は、被写体輝度に関するＡＰＥＸ値（アペックスバリュー）である値ＢＶ（ブライトネスバリュー）を用いて取得することができる。被写体輝度に関するＡＰＥＸ値ＢＶは、自動露光調節動作（以下、「ＡＥ動作」とも称する）の結果として得られる。
【００６８】
このＡＥ動作は、全体制御部２１１の制御下（図４）において行われる。具体的には、画像メモリ２０９に蓄えられた画像の情報を全体制御部２１１によって読み出すことによりその画像の輝度を得た上で、その画像輝度がＡＥ動作における狙い値（目標値）よりも低い場合には、タイミングジェネレータ３１４の制御によりシャッタースピードを低速にすること（および／または絞り制御ドライバ３０６の制御により絞りを開くこと）などによって入射光量を増加させ、その輝度が狙い値よりも高い場合には、逆にシャッタースピードを高速にするなどの制御を行うにより入射光量を減少させる。このような動作を繰り返すことにより、画像の輝度がＡＥ動作における上記の狙い値に対して所定幅を有する範囲内に入ったときに、露光量の自動調節動作が完了する。
【００６９】
そして、この自動調節完了時の値ＢＶを環境光の輝度（被写体輝度）を表す指標値として求めることができる。この動作は、上記の環境光検出部２１１ｃ（図５）により行われる。
【００７０】
ここで、値ＢＶ（ブライトネスバリュー）は、シャッタースピードに関するＡＰＥＸ値である値ＴＶ（タイムバリュー）と、絞りに関するＡＰＥＸ値である値ＡＶ（アパーチャバリュー）と、感度に関するＡＰＥＸ値である値ＳＶ（センシティブバリュー）との間に、次の数１により示される関係を有している。
【００７１】
【数１】
0003551123.tif 000002
【００７２】
したがって、この数１に基づいて、上述のようなＡＥ動作が施された自動露光調節後の各値ＴＶ，ＡＶ，ＳＶを用いることにより、値ＢＶを算出することができる。
【００７３】
また、表１は、各値ＢＶと各値ＢＶに対応する使用環境との関係を表している。上記のようにして得られた値ＢＶは、デジタルカメラ１が使用されている環境（使用環境）における環境光の輝度を表している。
【００７４】
【表１】
0003551123.tif 000003
【００７５】
つぎに、環境光の輝度を表す指標値として算出された値ＢＶを環境光の輝度（明るさ）を表す値として用い、この値ＢＶに応じてＥＶＦ２０の輝度やコントラストなどを調節することにより、環境光の輝度に応じてＥＶＦ２０の表示特性を調整する動作を行う。
【００７６】
ここでは、環境光の輝度に応じてＥＶＦ２０の輝度（明るさ）を変更する調整動作について説明する。より具体的には、環境光の輝度が高くなるにつれて、ＥＶＦ２０の輝度を低下させる場合について説明する。
【００７７】
次の表２は、値ＢＶとＥＶＦ２０の輝度との関係を示している。
【００７８】
【表２】
0003551123.tif 000004
【００７９】
この表２においては、値ＢＶ＝８のときに、被写体の輝度が標準状態であるとしてＥＶＦ２０の輝度の調整を行う場合を例示しており、値ＢＶが８より大きな値になるにつれてＥＶＦ２０の輝度を低下させ、値ＢＶが８より小さな値になるにつれてＥＶＦ２０の輝度を増大させる場合を示している。なお、値ＢＶ＝８は、屋外（明るい曇り程度）において撮影する場合の環境光の輝度に相当し、ここでは、そのような環境光の下でＥＶＦ２０が最も見やすい輝度（明るさ）となるようにＥＶＦ２０の輝度の標準状態が設定される場合を例示している。
【００８０】
なお、表２において、「ＥＶＦ２０の輝度」の欄（行）の「標準−」は標準状態から輝度を１０％低下させた状態を意味し、「標準−−」は標準状態から輝度を２０％低下させた状態を意味する。同様に、「ＥＶＦ２０の輝度」の欄の「標準＋」は標準状態から輝度を１０％増大させた状態を意味し、「標準＋＋」は標準状態から輝度を２０％増大させた状態を意味する。
【００８１】
また、図７は、輝度の調整について説明する図であり、入力画素値Ｐｉｎと出力画素値Ｐｏｕｔとの関係が示されている。図７におけるラインＬＢ１は、標準状態における両画素値Ｐｉｎ，Ｐｏｕｔの間の関係を表す。標準状態においては、ラインＬＢ１に示すように、入力画素値Ｐｉｎと出力画素値Ｐｏｕｔとは、その最大値が互いに同じ値となるような（その比が１となるような）線形関係を有している。
【００８２】
表２に示すように、値ＢＶ＝９のときには、標準状態よりも輝度を１０％を低下させるようにＥＶＦ２０の表示特性を調整する。図７のラインＬＢ２は、輝度を１０％低下させた状態の入力画素値Ｐｉｎと出力画素値Ｐｏｕｔとの関係を示している。このように、入力画素値Ｐｉｎが同一であってもその出力画素値は約１０％低減された状態を有するものとなる。同様に、値ＢＶ＝１０のときは、標準状態よりも輝度を２０％を低下させるようにＥＶＦ２０の表示特性を調整する。図７のラインＬＢ３は、輝度を２０％低下させた状態の入力画素値Ｐｉｎと出力画素値Ｐｏｕｔとの関係を示している。一方、値ＢＶ＝７のときは、標準状態よりも輝度を１０％増大させるようにＥＶＦ２０の表示特性を調整する。図７のラインＬＢ４は、輝度を１０％増大させた状態の入力画素値Ｐｉｎと出力画素値Ｐｏｕｔとの関係を示している。
【００８３】
ここにおいて、このような各状態（「標準」、「標準＋」、「標準−」など）の輝度に対する入力画素値Ｐｉｎと出力画素値Ｐｏｕｔとの関係は、それぞれ、全体制御部２１１内のＲＯＭ内においてあらかじめテーブルＴＢＬ（図４）として予め記憶されているものとする。
【００８４】
そして、画像補正部２１１ｅ（図５）は、表２に示すような関係に基づき、値ＢＶに対応するＥＶＦ２０の出力画像の補正動作（輝度に関する補正動作）を行う。具体的には、次のような動作を行う。
【００８５】
まず、ＡＥ動作において求められた環境光の輝度（値ＢＶ）に応じたＥＶＦ２０の輝度（「標準」、「標準＋」、「標準−」、．．．などのいずれであるか）を決定し、この決定されたＥＶＦ２０の輝度に対応するテーブルＴＢＬを選択する。
【００８６】
さらに、この選択されたテーブルＴＢＬに記憶された情報を用いて、ＥＶＦ２０における各画素の出力画素値を決定する。より具体的には、値ＢＶに対応して決定（選択）されたテーブルＴＢＬの情報を用いて、画像メモリ２０９に記憶されている撮影画像の各画素の画素値（入力画素値Ｐｉｎ）に対して、ＥＶＦ２０における表示画像の画素値（出力画素値Ｐｏｕｔ）を求めることができる。
【００８７】
これにより、値ＢＶに対応するＥＶＦ２０の出力画像の輝度に関する補正動作を行うことができる。
【００８８】
つぎに、環境光の輝度に応じてＥＶＦ２０のコントラストを変更する調整動作について説明する。具体的には、環境光の輝度が高くなるにつれて、ＥＶＦ２０のコントラストを増大させる場合について説明する。
【００８９】
上記の表２においては、値ＢＶとＥＶＦ２０のコントラストとの関係が示されている。この表２においては、値ＢＶ＝８のときに、被写体の輝度（すなわち環境光の輝度）が標準状態であるとしてＥＶＦ２０のコントラストの調整を行う場合を例示しており、値ＢＶが８より大きな値になるにつれてＥＶＦ２０のコントラストを増大させ、値ＢＶが８より小さな値になるにつれてＥＶＦ２０のコントラストを低下させる場合を示している。
【００９０】
なお、表２において、「ＥＶＦ２０のコントラスト」の欄の「標準−」は標準状態からコントラストを１０％低下させた状態を意味し、「標準−−」は標準状態からコントラストを２０％低下させた状態を意味する。同様に、「ＥＶＦ２０のコントラスト」の欄の「標準＋」は標準状態からコントラストを１０％増大させた状態を意味し、「標準＋＋」は標準状態からコントラストを２０％増大させた状態を意味する。
【００９１】
表２に示すように、値ＢＶ＝９のときは、標準状態よりもコントラストを１０％低下させるようにＥＶＦ２０の表示特性を調整し、値ＢＶ＝１０のときは、標準状態よりもコントラストを２０％を増大させるようにＥＶＦ２０の表示特性を調整する。また、値ＢＶ＝７のときは、標準状態よりもコントラストを１０％低下させるようにＥＶＦ２０の表示特性を調整する。
【００９２】
また、図８は、入力画素値Ｐｉｎと出力画素値Ｐｏｕｔとの関係を示す図である。図８におけるラインＬＣ１は、標準状態における両画素値Ｐｉｎ，Ｐｏｕｔの間の関係を表す。標準状態においては、ラインＬＣ１に示すように、入力画素値Ｐｉｎと出力画素値Ｐｏｕｔとが各最大値が互いに同じ値となるような線形関係を有している。
【００９３】
ここで、図８のラインＬＣ２は、コントラストを２０％低下させた状態の入力画素値Ｐｉｎと出力画素値Ｐｏｕｔとの関係を示しており、図８のラインＬＣ３は、コントラストを５０％増大させた状態の入力画素値Ｐｉｎと出力画素値Ｐｏｕｔとの関係を示している。
【００９４】
このように、入力画素値Ｐｉｎのうち所定の幅ＰＷを有する中間領域が出力画素値Ｐｏｕｔのフルレンジに対応するように、入力画素値Ｐｉｎと出力画素値Ｐｏｕｔとの関係が定められるので、画像としてのコントラストを増大させることができる。たとえば、ラインＬＣ３では、入力画素値Ｐｉｎのフルレンジに対して５０％減の幅ＰＷを有する中間領域が出力画素値Ｐｏｕｔのフルレンジに対応することにより、コントラストを標準状態よりも５０％増大させることができる。
【００９５】
また、図８のラインＬＣ４は、コントラストを２０％低下させた状態の入力画素値と出力画素値との関係を示している。入力画素値Ｐｉｎと出力画素値Ｐｏｕｔとの関係をこのように定めることにより、コントラストを標準状態よりも２０％低下させることができる。
【００９６】
ここでは、このような各状態（「標準」、「標準＋」、「標準−」など）のコントラストに対する入力画素値Ｐｉｎと出力画素値Ｐｏｕｔとの関係を、それぞれ、全体制御部２１１内のＲＯＭ内においてあらかじめテーブルＴＢＬ（図４）として記憶しておくものとする。なお、これらのコントラストの調整状態を表すテーブルＴＢＬをさらに各輝度の調整状態毎に準備しておけば、輝度とコントラストとを同時に調整することが可能である。
【００９７】
そして、画像補正部２１１ｅ（図５）は、表２に示すような関係に基づき、値ＢＶに対応するＥＶＦ２０の出力画像の補正動作（コントラストに関する補正動作）を行う。具体的には、次のような動作を行う。
【００９８】
まず、ＡＥ動作において求められた環境光の輝度（値ＢＶ）に応じたＥＶＦ２０のコントラスト（「標準」、「標準＋」、「標準−」、．．．などのいずれであるか）を決定し、この決定されたＥＶＦ２０のコントラストに対応するテーブルＴＢＬを選択する。
【００９９】
さらに、この選択されたテーブルＴＢＬに記憶された情報を用いて、ＥＶＦ２０における各画素の出力画素値を決定する。より具体的には、値ＢＶに対応して決定（選択）されたテーブルＴＢＬの情報を用いて、画像メモリ２０９に記憶されている撮影画像の各画素の画素値（入力画素値Ｐｉｎ）に対して、ＥＶＦ２０における表示画像の画素値（出力画素値Ｐｏｕｔ）を求めることができる。
【０１００】
これにより、値ＢＶに対応するＥＶＦ２０の出力画像のコントラストに関する補正動作を行うことができる。
【０１０１】
上記のようなＥＶＦ２０のコントラスト調整を行った場合、ＥＶＦ２０のコントラストは、環境光の輝度が高くなるにつれて増大するように調整されるので、デジタルカメラ１の周囲が明るい場合（環境光の輝度が高い場合）にあっても、ＥＶＦ２０において見やすい表示を行うことが可能になる。
【０１０２】
また、このようなコントラストの増大を伴うコントラスト調整のみを行う場合には、被写体によってはＥＶＦ２０の表示に眩しさが感じられることがある。このような場合、上記のコントラストの調整に加えて、さらに上記のようなＥＶＦ２０の輝度調整を行うことにより、このような事態を防止することができる。すなわち、環境光の輝度が高くなるにつれて、ＥＶＦ２０の輝度を低下させ、かつ、ＥＶＦ２０のコントラストを増大させることにより、眩しさを抑えた見やすい表示を行うことが可能になる。
【０１０３】
＜その２＞
次に、環境光の輝度に応じてＥＶＦ２０の輝度（明るさ）を変更する別の調整動作について説明する。この動作は、上記の「その１」において説明した動作の逆の動作であり、具体的には、環境光の輝度が高くなるにつれて、ＥＶＦ２０の輝度をも増大させる動作である。言い換えれば、環境光の輝度が低くなるにつれて、ＥＶＦ２０の輝度をも低下させる動作である。
【０１０４】
次の表３は、値ＢＶとＥＶＦ２０の輝度との関係を示している。
【０１０５】
【表３】
0003551123.tif 000005
【０１０６】
この表３においては、値ＢＶ＝８のときに、被写体の輝度が標準状態であるとしてＥＶＦ２０の輝度の調整を行う場合を例示しており、値ＢＶが標準状態の値より大きな値になるにつれてＥＶＦ２０の輝度を増大させ、値ＢＶが標準状態の値より小さな値になるにつれてＥＶＦ２０の輝度を低下させる場合を示している。なお、表３において、「標準−」、「標準−−」、「標準＋」、「標準＋＋」などは表２と同様の状態を意味するものとする。
【０１０７】
この調整動作においては、表３に示すように、値ＢＶ＝９のときには、標準状態よりも輝度を１０％を増大させるようにＥＶＦ２０の表示特性を調整し、値ＢＶ＝１０のときには、標準状態よりも輝度を２０％を増大させるようにＥＶＦ２０の表示特性を調整する。また、値ＢＶ＝７のときは、標準状態よりも輝度を１０％低下させるようにＥＶＦ２０の表示特性を調整する。
【０１０８】
具体的には、上述したように、各状態（「標準」、「標準＋」、「標準−」など）の輝度に対する入力画素値Ｐｉｎと出力画素値Ｐｏｕｔとの各関係を、全体制御部２１１内のＲＯＭ内においてあらかじめテーブルＴＢＬとして記憶しておき、環境光の輝度に応じたＥＶＦ２０の輝度（表示特性）を決定し、その決定された輝度に対応するテーブルＴＢＬに記憶された情報を用いることにより、ＥＶＦ２０における各画素の出力画素値を決定する。
【０１０９】
このようなＥＶＦ２０の輝度調整を行った場合、環境光の輝度が高くなるにつれてＥＶＦ２０の輝度も増大するように調整されるので、たとえば、右目で実被写体を観察し、左目でファインダ画像（ＥＶＦ２０におけるライブビュー画像）を観察するような場合において、輝度差から生じる違和感を減少させることができる。よって、周囲が明るいときにＥＶＦ２０も明るくなるので見やすくなり、逆に、周囲が暗いときにＥＶＦ２０も暗くなるので見やすくなる。このような効果は、観察者の目とＥＶＦ２０の接眼レンズ２１（図２）との間にアイピースキャップ２３（図２において破線で示す）のような遮光部材がある場合にはさらに大きなものとなる。
【０１１０】
＜その３＞
以上においては、環境光の輝度に応じてＥＶＦ２０の表示特性を変更する場合について説明したが、以下では環境光の色合いに応じてＥＶＦ２０の色合いを変更する場合について説明する。
【０１１１】
ここではまず、環境光の色合いとＥＶＦ２０の色合いとが反対方向になるように、ＥＶＦ２０の色合いを調整する場合について説明する。
【０１１２】
環境光の色合いは、ＷＢ回路２０７によるホワイトバランス動作の結果に反映される。ＣＣＤ３０３は、レッド（Ｒ）、グリーン（Ｇ）、ブルー（Ｂ）の３原色の画素に関する各ゲインＧＲ，ＧＧ，ＧＢをそれぞれ独立に制御することにより、ホワイトバランスを制御する。そして、ホワイトバランスが調整された後の画像が画像メモリ２０９（図４）に記憶される。
【０１１３】
また、一般に、このホワイトバランスの制御は、グリーン（Ｇ）に関するゲイン（Ｇゲイン）ＧＧを基準にして他のゲインＧＲ，ＧＢを相対的に増減させることにより行われ、たとえば、レッド（Ｒ）に関するゲイン（Ｒゲイン）ＧＲがグリーン（Ｇ）に関するゲインＧＧの１．８倍となるように設定し、ブルー（Ｂ）に関するゲイン（Ｂゲイン）ＧＢがグリーン（Ｇ）に関するゲインＧＧの２．０倍となるように設定した状態を標準状態として設定した上で、上記の各ゲインの相対的関係を変更することにより、ホワイトバランス、すなわち色合いを変更することができる。ここにおいて、ゲインＧＲ，ＧＧ，ＧＢは、各画素の入力画素値に対する出力画素値の比を表現しており、たとえば、グリーン（Ｇ）に関するＧゲインＧＧを「１．０」として設定した場合には、上記の標準状態においては、レッド（Ｒ）に関するＲゲインＧＲは、「１．８」であり、ブルー（Ｂ）に関するＢゲインＧＢは、「２．０」となる。
【０１１４】
このホワイトバランスの調整動作においては、環境光の色合いにおいて青みが強い場合には、ＲゲインＧＲを大きくしＢゲインＧＢを小さくすることにより撮影画像の色合いを制御する。これにより、画像メモリ２０９に記憶される撮影画像は、適切な色合いを有する画像となる。たとえば、画像全体における色温度を測定し、測定された色温度に応じてＲゲインＧＲを「２．２」に増大しＢゲインＧＢを「１．６」に低下するように設定することにより、撮影画像が適切な色合いとなるようにホワイトバランスの制御動作が行われることがある。この場合、逆に、ホワイトバランス動作における各ゲインＧＲ，ＧＧ，ＧＢの値を読み出すことにより、環境光の色合い（上記の場合は青みが強い状態であること）を得ることができる。
【０１１５】
この実施形態では、このようにして得られた環境光の色合いに対して反対の特性を有するように、ＥＶＦ２０の色合いを調整する調整動作を行う。
【０１１６】
次の表４は、環境光の色合いに関する指標値であるＲゲインとＥＶＦ２０の色合いに関する指標値であるＥＶＦ２０の赤みコントロール値との関係を示している。
【０１１７】
【表４】
0003551123.tif 000006
【０１１８】
同様に、次の表５は、環境光の色合いに関する指標値であるＢゲインとＥＶＦ２０の色合いに関する指標値であるＥＶＦ２０の青みコントロール値との関係を示している。
【０１１９】
【表５】
0003551123.tif 000007
【０１２０】
なお、表４（表５）において、「標準−」は標準状態から赤み（青み）コントロール値を１０％低下させた状態を意味し、「標準−−」は標準状態から赤み（青み）コントロール値を２０％低下させた状態を意味する。同様に、「標準＋」は標準状態から赤み（青み）コントロール値を１０％増大させた状態を意味する。
【０１２１】
この表４および表５においては、ＲゲインＧＲ＝１．８、かつ、ＢゲインＧＢ＝２．０のときに、環境光の色合いが標準状態であるとしてＥＶＦ２０の色合いの調整を行う場合を例示している。また、表４に示されるように、ＲゲインＧＲが標準状態の値より大きな値になるにつれてＥＶＦ２０の赤みコントロール値を増大させ、ＲゲインＧＲが標準状態の値より小さな値になるにつれてＥＶＦ２０の赤みコントロール値を低下させる。同様に、表５に示されるように、ＢゲインＧＢが標準状態の値より小さな値になるにつれてＥＶＦ２０の青みコントロール値を低下させ、ＢゲインＧＢが標準状態の値より大きな値になるにつれてＥＶＦ２０の青みコントロール値を増大させる。
【０１２２】
ここにおいて、色温度が高く（たとえば８０００Ｋ）環境光が青みが強い状態である場合には、ＷＢ回路２０７によって、たとえば、ＲゲインＧＲを「２．２」に増大しＢゲインＧＢを「１．６」に低下するように設定されることにより、適切な色合いとなるように調整される。言い換えれば、ＲゲインＧＲが「２．２」に増大されＢゲインＧＢが「１．６」に低下したことを検出することにより、環境光が強い青みを有する状態であることを認識することができる。
【０１２３】
これに対して、全体制御部２１１は、上記の表４に示すようにＥＶＦの赤みコントロール値を１０％増大させ、表５に示すようにＥＶＦの青みコントロール値を１０％低下させるように制御を行う。これにより、ＥＶＦ２０を赤みが強く、青みが弱い画像となるように、ＥＶＦ２０の色合いを変更する。すなわち、環境光の色合いに対して反対方向の特性を有するように、ＥＶＦ２０の色合いを調整する調整動作を行う。
【０１２４】
なお、ＥＶＦ２０の色別コントロール値を増減するにあたっては、上述の輝度値の調整動作を各色毎に行えばよい。たとえば、ＥＶＦの赤みコントロール値を１０％増大させるにあたっては、上述の輝度値の調整動作により、各画素の赤色成分の輝度を１０％増大させればよい。また、ＥＶＦの青みコントロール値を１０％低下させるにあたっては、上述の輝度値の調整動作により、各画素の青色成分の輝度を１０％低下させればよい。
【０１２５】
より具体的には、この色合いの調整動作は、次のようにして行われる。ただし、ここでは、この調整動作を行う以前において、全体制御部２１１において、上述の輝度等に関する複数のテーブルＴＢＬがそれぞれ各色別に準備されており、さらに、上記の表４および表５に示される色別のコントロールに関する情報が併せて別のテーブルＴＢＬとして準備されているものとする。
【０１２６】
まず、表４および表５の情報を有するテーブルＴＢＬを用いて、環境光の色合いに応じた各色のコントロール値に関する情報を求めた上で、そのコントロール値に対応する、輝度等に関する色別のテーブルＴＢＬを選択する。そして、選択された各色別のテーブルＴＢＬに記憶されている、入力画素値Ｐｉｎおよび出力画素値Ｐｏｕｔ間の関係に基づいて、ＥＶＦ２０の各画素の出力画素値Ｐｏｕｔを求めることにより、ＥＶＦ２０の色合いを調整する動作を行う。ここで、入力画素値Ｐｉｎは、画像メモリ２０９に記憶された各画素値であり、これに対してＥＶＦ２０に出力する際の出力画素値Ｐｏｕｔを上記のテーブルＴＢＬを用いて求めるのである。
【０１２７】
そして、このような各出力画素値ＰｏｕｔがＶＲＡＭ２２０に転送されることにより、ＥＶＦ２０においてそのような出力画素値に応じた撮影画像が表示されることになる。
【０１２８】
この場合、画像補正部２１１ｅは、ＥＶＦ２０の色合いを環境光の色合いと反対の方向に変化させるように調整するので、ＥＶＦ２０の接眼レンズ２１（図２）に入ってきた迷光の色合いの影響をキャンセル（低減）することができる。たとえば、環境光の色合いが強い青みを有する場合には、上記の調整動作によって、ＥＶＦ２０の色合いは弱い青みを有するように調整されるので、ＥＶＦ２０に入射する強い青みを有する迷光の影響をキャンセル（低減）することが可能である。
【０１２９】
＜その４＞
上記においては、環境光の色合いの反対向きにＥＶＦ２０の色合いを調整することにより、環境光の色合いに応じてＥＶＦ２０の色合いを変更する場合について説明したが、ここでは、環境光の色合いと同じ方向にＥＶＦ２０の色合いを調整する場合について説明する。
【０１３０】
次の表６は、環境光の色合いに関する指標値であるＲゲインとＥＶＦ２０の色合いに関する指標値であるＥＶＦ２０の赤みコントロール値との関係を示している。
【０１３１】
【表６】
0003551123.tif 000008
【０１３２】
同様に、次の表７は、環境光の色合いに関する指標値であるＢゲインとＥＶＦ２０の色合いに関する指標値であるＥＶＦ２０の青みコントロール値との関係を示している。
【０１３３】
【表７】
0003551123.tif 000009
【０１３４】
なお、表６（表７）において、「標準−」は標準状態から赤み（青み）コントロール値を１０％低下させた状態を意味する。同様に、「標準＋」は標準状態から赤み（青み）コントロール値を１０％増大させた状態を意味し、「標準＋＋」は標準状態から赤み（青み）コントロール値を２０％増大させた状態を意味する。
【０１３５】
この表６および表７においては、ＲゲインＧＲ＝１．８、かつ、ＢゲインＧＢ＝２．０のときに、環境光の色合いが標準状態であるとしてＥＶＦ２０の色合いの調整を行う場合を例示している。また、表６に示されるように、ＲゲインＧＲが標準状態の値より大きな値になるにつれてＥＶＦ２０の赤みコントロール値を低下させ、ＲゲインＧＲが標準状態の値より小さな値になるにつれてＥＶＦ２０の赤みコントロール値を増大させる。同様に、表７に示されるように、ＢゲインＧＢが標準状態の値より小さな値になるにつれてＥＶＦ２０の青みコントロール値を増大させ、ＢゲインＧＢが標準状態の値より大きな値になるにつれてＥＶＦ２０の青みコントロール値を低下させる。
【０１３６】
ここにおいて、色温度が高く（たとえば８０００Ｋ）環境光が青みが強い状態である場合には、ＷＢ回路２０７によって、たとえば、ＲゲインＧＲを「２．２」に増大しＢゲインＧＢを「１．６」に低下するように設定されることにより、適切な色合いとなるように調整される。言い換えれば、ＲゲインＧＲが「２．２」に増大されＢゲインＧＢが「１．６」に低下したことを検出することにより、環境光が強い青みを有する状態であることを認識することができる。
【０１３７】
これに対して、全体制御部２１１は、上記の表６に示すようにＥＶＦの赤みコントロール値を１０％低減させ、表７に示すようにＥＶＦの青みコントロール値を１０％増大させるように制御を行う。これにより、ＥＶＦ２０を青みが強い画像となるように、ＥＶＦ２０の色合いを変更する。すなわち、環境光の色合いに対して同じ方向の特性を有するように、ＥＶＦ２０の色合いを調整する調整動作を行う。
【０１３８】
ここで、具体的な調整動作は、上述の「その３」における動作と同様であるが、この「その４」における動作においては、表６および表７に例示されるような関係に基づき、ＥＶＦ２０の色合いが環境光の色合いと同じ方向に調整される点で相違する。
【０１３９】
この場合、画像補正部２１１ｅは、ＥＶＦ２０の色合いを、環境光の色合いと同じ方向に変化させるように調整する（たとえば、環境光が青みが強い色合いを有する場合に、ＥＶＦ２０も青みが強い色合いを有する画像を表示するように調整する）ので、ＥＶＦ２０における表示が肉眼での被写体の見え方に近くなる。また、この効果は、観察者の目とＥＶＦ２０の接眼レンズ２１との間にアイピースキャップ２３（図２参照）のような遮光部材がある場合など、迷光の影響が排除される場合に、より大きなものとなる。
【０１４０】
＜Ｂ．第２実施形態＞
第２実施形態は、２種類の表示手段（ここでは、ＬＣＤ１０およびＥＶＦ２０）における表示状態（ＯＮ／ＯＦＦなど）を環境光の輝度に応じて変更する場合について説明する。
【０１４１】
なお、この実施形態に係るデジタルカメラの構成等は、上記第１実施形態とほぼ同様であり、以下では、相違点を中心に説明する。
【０１４２】
図９は、ＬＣＤ１０およびＥＶＦ２０の表示状態に関する状態遷移図である。上述したように、ＬＣＤ１０およびＥＶＦ２０は、ＬＣＤボタン３１（図３参照）の押下により、その表示状態が遷移する。より具体的には、ＬＣＤボタン３１を押す毎に、状態ＳＴ１→状態ＳＴ２→状態ＳＴ３→状態ＳＴ１→．．．というように（矢印ＡＲ１，ＡＲ２，ＡＲ３参照）、順次にＬＣＤ１０およびＥＶＦ２０の表示状態が切り替わる。２種類の表示手段（ＬＣＤ１０およびＥＶＦ２０）のうちＯＮ状態となっている表示手段においてライブビュー画像などの画像が表示される。以下では、ライブビュー画像の表示に関して説明するものとする。ここにおいて、状態ＳＴ１はＥＶＦ２０がＯＮ（オン）かつＬＣＤ１０がＯＦＦ（オフ）している状態であり、状態ＳＴ２はＥＶＦ２０がＯＦＦかつＬＣＤ１０がＯＮしている状態であり、状態ＳＴ３はＥＶＦ２０およびＬＣＤ１０のいずれもがＯＮしている状態である。
【０１４３】
なお、ここでは、デジタルカメラ１の電源がＯＮされた状態において、ＬＣＤ１０およびＥＶＦ２０のうち少なくとも一方がＯＮ状態にある場合を想定しているため、ＥＶＦ２０およびＬＣＤ１０のいずれもがＯＦＦしている状態に遷移することを考慮していないが、このような状態を上記の状態遷移の中に追加してもよい。
【０１４４】
ここでは、ＬＣＤ１０およびＥＶＦ２０の表示状態を変更するにあたって、ＬＣＤボタン３１による手動変更だけではなく、環境光に応じた自動変更を実現する。より具体的には、環境光の「輝度」に応じて、ＬＣＤ１０およびＥＶＦ２０のうち少なくともＥＶＦ２０がＯＮしている状態、言い換えれば、少なくともＥＶＦ２０において撮影画像が表示される状態（状態ＳＴ１またはＳＴ３）に自動的に遷移する。
【０１４５】
たとえば、ＬＣＤ１０のみがＯＮ状態にある状態ＳＴ２においては、環境光の輝度が高い場合には、ＬＣＤ１０の表示画面が見にくいと感じられる（視認性が低い）ことがある。これは、たとえば、ＬＣＤ１０として透過型液晶が用いられている場合などにおいて、大きな輝度を有する環境光がＬＣＤ１０表面で反射することによる影響に起因するものである。
【０１４６】
これに対して、この実施形態のデジタルカメラ１においては、このような弊害を除去するため、ＬＣＤ１０およびＥＶＦ２０の表示状態を環境光の輝度に応じて変更する。
【０１４７】
ここにおいて、環境光の輝度は、上記の第１実施形態において説明したように、被写体輝度に関するＡＰＥＸ値である値ＢＶを用いて取得することができる。したがって、この値ＢＶを利用し、値ＢＶが所定の値以上（たとえば９以上）となる場合に環境光の輝度が高いとする基準を用いて、環境光の輝度が高いか否かについての判定を行うことができる。この判定動作は、全体制御部２１１の環境輝度判定部２１１ｉ（図５）において行われる。
【０１４８】
そして、このような基準に基づいて環境光の輝度が高いと判定される場合には、矢印ＡＲ４（図９）のように、ＥＶＦ２０がＯＮする状態ＳＴ１に遷移する。この場合、ＥＶＦ２０は、ＬＣＤ１０に比べて環境光による影響を受けにくいので、環境光の輝度が高い場合であっても比較的高い視認性を確保することができる。
【０１４９】
あるいは、上記の基準に基づいて環境光の輝度が高いと判定される場合には、矢印ＡＲ５のように、ＥＶＦ２０およびＬＣＤ１０の双方がＯＮする状態ＳＴ３に遷移するように設定してもよい。この場合であっても、ＥＶＦ２０がＯＮすることにより撮影画像が少なくともＥＶＦ２０において表示されるため、環境光の輝度が高い場合にあっても、操作者はＥＶＦ２０におけるライブビュー表示によって撮影画像を確認することができ、比較的高い視認性を確保すること（見やすい表示を確保すること）ができる。
【０１５０】
なお、これらの矢印ＡＲ４，ＡＲ５で示される２つの状態遷移のうちのいずれの状態遷移を行ってもよく、さらには、これらの状態遷移のうちのいずれかをデフォルト状態として設定しておき、メニュー画面などにおいて操作者がその状態遷移の一方を任意に選択できるようにしてもよい。また、このような遷移動作（換言すれば表示状態の変更動作）は、全体制御部２１１の表示形態制御部２１１ｄにより実現される。
【０１５１】
このようにこの実施形態のデジタルカメラ１によれば、環境光に応じてＬＣＤ１０およびＥＶＦ２０のうち少なくとも一方の表示状態が変更されるので、ＬＣＤ１０およびＥＶＦ２０を、使用状態（環境光の輝度）に応じた適切な表示状態に切り換えることが可能である。すなわち、ＬＣＤ１０およびＥＶＦ２０の表示状態の最適化を図ることが可能であり、操作性を向上させることができる。
【０１５２】
＜第２実施形態の変形例＞
また、上記においては、環境光の輝度が高いと判定される場合に、撮影画像が少なくともＥＶＦ２０において表示される状態（ＳＴ１，ＳＴ３）へと自動的に切り換える場合について説明したが、少なくともＥＶＦ２０において撮影画像が表示される状態へと切り換えることを促す表示をＬＣＤ１０において行ってもよい。操作者は、このような表示を見ることによって、ＬＣＤボタン３１による手動操作によって、ＬＣＤ１０およびＥＶＦ２０の表示状態を遷移させることが可能である。
【０１５３】
図１０は、このような変形例に係る、ＬＣＤ１０およびＥＶＦ２０の表示状態の状態遷移図である。上述した各状態ＳＴ１，ＳＴ２，ＳＴ３に加えて、状態ＳＴ２１が示されている。ここにおいて、状態ＳＴ２１は、ＥＶＦ２０がＯＦＦしＬＣＤ１０がＯＮしている状態ＳＴ２において、さらに、少なくともＥＶＦ２０がＯＮしている状態（ＳＴ１またはＳＴ３）へと切り換えることを促す勧告表示（または推奨表示）ＤＲ（図１１参照）がＬＣＤ１０において行われている状態を示している。
【０１５４】
たとえば、ＬＣＤ１０のみがＯＮ状態にある状態ＳＴ２において、環境光の輝度が高いと判定されると、矢印ＡＲ６（図１０）に示すように、ＥＶＦ２０がＯＮする状態ＳＴ２１に遷移する。なお、環境光の輝度が高いか否かについては、たとえば、上述したように値ＢＶが９以上となる場合に環境光の輝度が高いとする旨の基準を用いて判定することができる。
【０１５５】
そして、環境光の輝度が高いと判定される場合には、ＬＣＤ１０およびＥＶＦ２０のうち少なくともＥＶＦ２０がＯＮしている状態、言い換えれば、少なくともＥＶＦ２０において撮影画像が表示される状態（状態ＳＴ１，ＳＴ３）に遷移することを促す旨の勧告表示ＤＲを行う。
【０１５６】
図１１は、ＬＣＤ１０において上記の勧告表示（または推奨表示）ＤＲが行われている状態を示している。図１１においては、勧告表示ＤＲとして、ＬＣＤ１０およびＥＶＦ２０の表示状態を変更すべき旨を表示するため、「ｃｈａｎｇｅ」（変更）の文字が表示されている場合を示している。ただし、勧告表示ＤＲは、これに限定されず、その他の文字による表示を行ったり、ＬＣＤ１０の画面全体を点滅させるなどの手法による表示を行ってもよい。なお、このような勧告表示は、全体制御部２１１の勧告表示制御部２１１ｊ（図５）などにより実現される。
【０１５７】
これに対して、ＬＣＤ１０における勧告表示ＤＲを見た操作者は、ＬＣＤボタン３１による手動操作によって、ＬＣＤ１０およびＥＶＦ２０の表示状態を矢印ＡＲ７に示すように状態ＳＴ３へと遷移させることが可能である。これにより、ＬＣＤ１０に加えてＥＶＦ２０もＯＮし、撮影画像がＥＶＦ２０において表示されるため、操作者はＥＶＦ２０におけるライブビュー表示によって撮影画像を確認することができ、比較的高い視認性を確保することができる。
【０１５８】
なお、操作者がＬＣＤ１０を表示させる必要がないと判断した場合には、操作者はＬＣＤボタン３１をさらにもう一度押下することにより、ＬＣＤ１０およびＥＶＦ２０の表示状態を状態ＳＴ１に遷移させる。状態ＳＴ１は、ＬＣＤ１０はＯＦＦしているが、ＥＶＦ２０がＯＮしている状態である。この場合、ＥＶＦ２０における表示を行うことにより同様の効果を得ることが可能であり、さらにＬＣＤ１０における表示を行わないことにより、消費電力の低減などの効果を得ることも可能である。
【０１５９】
このように、上記の勧告表示ＤＲを行うことにより、操作者に対して適切な表示状態に関する情報を提供することができる。したがって、操作者は、環境光の輝度が高くＥＶＦ２０による表示が好ましい状態であることを認識することができ、ＬＣＤ１０およびＥＶＦ２０を環境（環境光の輝度）に応じた適切な表示状態に切り換えることが可能である。すなわち、ＬＣＤ１０およびＥＶＦ２０の表示状態の最適化を図ることが可能であり、操作性を向上させることができる。
【０１６０】
なお、上記においては、矢印ＡＲ７で示すように、状態ＳＴ２１から状態ＳＴ３へと遷移する場合を示したが、矢印ＡＲ８で示すように状態ＳＴ２１から状態ＳＴ１へと遷移するようにしてもよい。
【０１６１】
＜Ｃ．第３実施形態＞
つぎに、この第３実施形態では、暗い環境下においてフラッシュ撮影を行うという使用状態に応じて、２種類の表示手段（ここでは、ＬＣＤ１０およびＥＶＦ２０）における表示状態を使い分ける場合について説明する。
【０１６２】
なお、デジタルカメラの構成等は、上記第１実施形態とほぼ同様であり、以下では、相違点を中心に説明する。
【０１６３】
まず、全体制御部２１１は、フラッシュ撮影を行うべき状態であるか否かを判定する。たとえば、フラッシュ撮影を行うべき旨の明示の指示が操作者の所定の操作により与えられた場合や、環境光の輝度を検出することにより自動的にフラッシュ撮影を行うべき状態であると判断する場合などにおいて、フラッシュ撮影を行うべき状態であると判定することができる。以下では、フラッシュ撮影を行うべき状態であると判定された後の動作について説明する。
【０１６４】
図１２は、シャッタボタン９（図３）の押下時点の前後付近における、ＬＣＤ１０およびＥＶＦ２０の表示状態を示すタイミングチャートである。以下では、この図１２を参照しながら、ＬＣＤ１０およびＥＶＦ２０などにおける動作について説明する。なお、これらのＬＣＤ１０およびＥＶＦ２０における表示状態の変更動作は、上述の表示形態制御部２１１ｄ（図５）を用いて行われる。
【０１６５】
まず、撮影待機状態においては、ＣＣＤ３０３（図４）において先述のように１／３０（秒）毎に被写体の画像が取得され、画像メモリ２０９等を介してＬＣＤ１０に出力されることによりライブビュー表示が行われているものとする。なお、この際、ＥＶＦ２０における表示は行われていないものとする。
【０１６６】
そして、時刻ｔ１０において操作者がシャッタボタン９を半押し状態（Ｓ１）にすることによって発生するパルス信号に応答して、フラッシュ５がプレ発光を行う。さらに、このプレ発光によるフラッシュ光を浴びた被写体に関する静止画像（プレ発光画像とも称する）がＣＣＤ３０３により取得される。このプレ発光画像は時刻ｔ１２以降少なくとも所定期間Ｔ１にわたってＥＶＦ２０において表示される（プレビュー表示）。なお、図１１においては、後述する本発光後のＬＣＤ１０におけるアフタービュー表示の終了時点（時刻ｔ４０）まで、ＥＶＦ２０におけるプレビュー表示が行われる場合が示されている。その後、時刻ｔ２０において、操作者がシャッタボタン９をさらに押し込んだ状態（Ｓ２）にすることによって発生するパルス信号に応答して、フラッシュ５が本発光を行う。さらに、この本発光によるフラッシュ光を浴びた被写体に関する静止画像（本発光画像とも称する）がＣＣＤ３０３により取得される。この本発光画像は時刻ｔ３０以降所定期間Ｔ２にわたってＬＣＤ１０において表示される（アフタービュー表示）。このアフタービュー表示により、操作者は、撮影した静止画像を確認することができる。なお、期間Ｔ２経過後（時刻ｔ４０以降）においては、ＬＣＤ１０はライブビュー表示に戻る。
【０１６７】
図１３は、期間Ｔ１におけるＬＣＤ１０およびＥＶＦ２０の表示形態を示す図である。図１３に示されるように、ＥＶＦ２０にはフラッシュ光を浴びたプレ発光画像ＤＬが表示されており、一方のＬＣＤ１０にはフラッシュ光を浴びていない暗い環境下でのライブビュー画像ＤＤの表示が行われている。
【０１６８】
以上のように、本発光による撮影以前の期間Ｔ１にわたっては、ＬＣＤ１０においてライブビュー画像を表示しつつ、かつ、ＥＶＦ２０にプレ発光画像を表示しているので、操作者は、両表示（ＬＣＤ１０におけるライブビュー表示、およびＥＶＦ２０におけるプレビュー表示）を交互に見比べることにより、出来上がりイメージを想像することが容易になる。このように、夜間撮影時などのフラッシュ撮影時におけるＬＣＤ１０とＥＶＦ２０とにおける表示形態の最適化を図り、操作性を向上させることができる。
【０１６９】
特に、暗い環境下においても比較的高い視認性を確保することが可能なＥＶＦ２０にプレ発光画像が表示されるので、このＥＶＦ２０を用いて撮影画像（出来上がりイメージ画像）を確認することが容易になる。したがって、暗い環境下においてもフレーミングが容易になる。
【０１７０】
＜Ｄ．第４実施形態＞
この第４実施形態では、（フラッシュ撮影を行うか否かに拘わらず）暗い環境下などで撮影を行う際に、２種類の表示手段（ここでは、ＬＣＤ１０およびＥＶＦ２０）における表示形態を使い分ける場合について説明する。より具体的には、被写体輝度が低くフレーミングが困難な状況下において、ＬＣＤ１０およびＥＶＦ２０の双方において、輝度を互いに相違させた状態で、ライブビュー表示を行うものとする。
【０１７１】
なお、デジタルカメラの構成等は、上記第１実施形態とほぼ同様であり、以下では、相違点を中心に説明する。
【０１７２】
まず、全体制御部２１１は、被写体輝度が低いか否かを所定の基準に基づいて判定する。この所定の基準としては、たとえば、上記の値ＢＶが所定の値（たとえばＢＶ＝３）以下になった場合に被写体輝度が低い（言い換えれば環境光の輝度が低い）ものとして判定する基準が用いられる。
【０１７３】
そして、環境光の輝度が低い（すなわち暗い）と判定された場合において、ＬＣＤ１０にはゲインＧ１を用いることにより撮影画像と同様の輝度（通常の輝度）を有する画像をライブビュー表示するとともに、ＥＶＦ２０にはゲインＧ１よりも高いゲインＧ２を用いることにより高輝度を有する画像（明るい画像）をライブビュー表示することを行う。
【０１７４】
ここで、「ゲイン」は、上述したように、入力画素値Ｐｉｎと出力画素値Ｐｏｕｔとの比（すなわち、Ｐｏｕｔ／Ｐｉｎ）である。たとえば、ゲインＧ１は、所定の画素に関する、画像メモリ２０９に記憶されている撮影画像の画素値（入力画素値Ｐｉｎ）とＬＣＤ１０における表示画像の画素値（出力画素値Ｐｏｕｔ）との比である。したがって、画像メモリ２０９に記憶された各画素の画素値（各入力画素値Ｐｉｎ）に対して、その画素値に対応するゲインＧ１を乗ずることによりＬＣＤ１０に出力する際の各画素の出力画素値Ｐｏｕｔを求めることができる。
【０１７５】
同様に、ゲインＧ２は、所定の画素に関する、画像メモリ２０９の画素値（入力画素値Ｐｉｎ）とＥＶＦ２０の画素値（出力画素値Ｐｏｕｔ）との比である。したがって、画像メモリ２０９に記憶された各画素の画素値（各入力画素値Ｐｉｎ）に対して、その画素値に対応するゲインＧ２を乗ずることによりＥＶＦ２０に出力する際の各画素の出力画素値Ｐｏｕｔを求めることができる。
【０１７６】
なお、ゲインＧ１，Ｇ２の値は、異なる入力画素値Ｐｉｎに対して必ずしも同一の値であることを要さず、各入力画素値Ｐｉｎ毎に対応する値がそれぞれ定められていてもよい。また、この入力画素値Ｐｉｎと出力画素値Ｐｏｕｔとの関係は、上述したように、全体制御部２１１のテーブルＴＢＬに記憶しておくことなどが可能である。また、このようなゲインＧ１，Ｇ２を用いたＬＣＤ１０およびＥＶＦ２０の出力画像に関する補正動作は、上述の画像補正部２１１ｅ（図５）において行われる。
【０１７７】
ここでは、ＥＶＦ２０の表示に関するゲインＧ２として、数２に示すように、ゲインＧ１に対して１より大きな所定値（たとえば１．２）を乗じた値を用いる。場合について説明する。
【０１７８】
【数２】
0003551123.tif 000010
【０１７９】
このように、ゲインＧ１よりも大きなゲインＧ２（＞Ｇ１）を用いた画像表示（すなわちゲインアップした画像表示）をＥＶＦ２０において行うことにより、ＥＶＦ２０は、ＬＣＤ１０より高い輝度を有する画像（明るい画像）をライブビュー表示することになる。
【０１８０】
したがって、被写体輝度が低くフレーミングが困難な状況下においても、ＬＣＤ１０には撮影画像と同様のゲインＧ１を用いることにより通常の輝度を有する画像をライブビュー表示するとともに、ＥＶＦ２０は、ＬＣＤ１０より高い輝度を有する画像（すなわち見やすい画像）をライブビュー表示することになる。これにより、操作者は、ＬＣＤ１０のライブビュー表示により撮影画像の露出状態を想定しながら、さらに高い輝度を有する画像（明るい画像）が表示されるＥＶＦ２０のライブビュー表示を用いることによりフレーミングを容易に行うことが可能になる。すなわち、暗い環境下においても、露出状況を考慮したフレーミング動作を容易に実現することができる。
【０１８１】
なお、上記においては、ＥＶＦ２０においてゲインアップした表示（Ｇ２＞Ｇ１）を行う場合について説明したが、ＥＶＦ２０においてゲインダウンした表示（Ｇ２＜Ｇ１）を行ってもよい。
【０１８２】
より具体的には、環境光の輝度が高い（すなわち明るい）と判定される場合において、ＬＣＤ１０には撮影画像と同様のゲインＧ１を用いることにより通常の輝度を有する画像をライブビュー表示した上で、ＥＶＦ２０にはゲインＧ１よりも低いゲインＧ２を用いることにより低輝度を有する画像（暗い画像）をライブビュー表示することを行う。このゲインＧ２としては、数２に示すように、ゲインＧ１に対して１より小さな所定値（たとえば０．８）を乗じた値を用いる。
【０１８３】
【数３】
0003551123.tif 000011
【０１８４】
これにより、ＥＶＦ２０は、ＬＣＤ１０より低い輝度を有する画像（より暗い画像）をライブビュー表示することになる。したがって、環境光の輝度が高い状況下においても、ＥＶＦ２０において明るさを抑えた画像（眩しさを抑制した画像）が表示されるので、見やすい表示を行うことができる。
【０１８５】
＜Ｅ．その他＞
上記各実施形態においては、表２などにおいて、たとえば「標準＋」は標準状態から輝度などの表示特性を１０％増大させた状態を意味するものとしていたが、これに限定されない。たとえば、「標準＋」を標準状態から所定の表示特性を５％などその他の割合で増大させるものとしてもよい。その他の「標準＋＋」、「標準−」などについても同様であり、その他の割合で変更してもよい。
【０１８６】
また、上記各実施形態においては、環境光の検出をＣＣＤ３０３などを用いて行っていたが、これに限定されず、たとえば、カメラ本体部２の表面などにおいて別途に設けたセンサーにより環境光を検出するようにしてもよい。
【０１８７】
さらに、本発明については、上記各実施形態のように静止画が主に撮影対象となるデジタルカメラに限らず、動画を撮影できるビデオカメラなどにも適用できる。すなわち、本明細書における「電子カメラ」は、静止画および動画のいずれが撮影対象であってもよい。
【０１８８】
【発明の効果】
以上のように、請求項１ないし請求項４に記載の電子カメラによれば、環境光の輝度が所定の基準より低い又は高いと判定される場合には、第１表示手段においては第１の値のゲインで撮影画像が表示され、第２表示手段においては第２の値のゲインで撮影画像が表示される。したがって、第１表示手段と第２表示手段とにおける表示形態の最適化を図り、操作性を向上させることができる。
【０１８９】
特に、請求項２に記載の電子カメラによれば、電子ビューファインダにおけるゲインは、液晶ディスプレイにおけるゲインよりも大きいので、電子ビューファインダーは、液晶ディスプレイより高い輝度を有する画像を表示する。したがって、環境光の輝度が低くフレーミングが困難な状況下においても、液晶ディスプレイの表示により撮影画像の露出状態を想定しながら、さらに高い輝度を有する画像（明るい画像）が表示される電子ビューファインダーにおける表示を用いることによりフレーミングを容易に行うことが可能になる。すなわち、暗い環境下においても露出状況を考慮したフレーミング動作を容易に実現することができる。
【０１９０】
また特に、請求項４に記載の電子カメラによれば、電子ビューファインダにおけるゲインは、液晶ディスプレイにおけるゲインよりも小さいので、電子ビューファインダーは、液晶ディスプレイより低い輝度を有する画像を表示する。したがって、環境光の輝度が高い状況下においても、電子ビューファインダーにおいて明るさを抑えた画像（眩しさを抑制した画像）が表示されるので、見やすい表示を行うことができる。
【図面の簡単な説明】
【図１】本発明の実施形態に係るデジタルカメラ１の平面図である。
【図２】図１のＩＩ−ＩＩ位置から見た断面図である。
【図３】デジタルカメラ１の背面図である。
【図４】デジタルカメラ１の機能ブロック図である。
【図５】全体制御部２１１内の内部構成を示すブロック図である。
【図６】メモリカード８の画像記憶を説明する図である。
【図７】輝度の調整について説明する図である。
【図８】コントラストの調整について説明する図である。
【図９】ＬＣＤ１０およびＥＶＦ２０の表示状態に関する状態遷移図である。
【図１０】ＬＣＤ１０およびＥＶＦ２０の表示状態に関する別の状態遷移図である。
【図１１】ＬＣＤ１０において勧告表示ＤＲが行われている状態を示す図である。
【図１２】ＬＣＤ１０およびＥＶＦ２０の表示状態を示すタイミングチャートである。
【図１３】期間Ｔ１におけるＬＣＤ１０およびＥＶＦ２０の表示形態を示す図である。
【符号の説明】
１  デジタルカメラ
３  撮像部
５  フラッシュ
９  シャッタボタン
１０  ＬＣＤ
２０  ＥＶＦ
２１  接眼レンズ
２３  アイピースキャップ
３１  ＬＣＤボタン
ＤＤ  ライブビュー画像
ＤＬ  プレ発光画像
ＤＲ  勧告表示
ＴＢＬ  テーブル
【図１】
0003551123.tif 000012
【図２】
0003551123.tif 000013
【図３】
0003551123.tif 000014
【図４】
0003551123.tif 000015
【図５】
0003551123.tif 000016
【図６】
0003551123.tif 000017
【図７】
0003551123.tif 000018
【図８】
0003551123.tif 000019
【図９】
0003551123.tif 000020
【図１０】
0003551123.tif 000021
【図１１】
0003551123.tif 000022
【図１２】
0003551123.tif 000023
【図１３】
0003551123.tif 000024